(57)【要約】 【課題】支柱等として使用される農園芸用の棒材に被覆材を強固に固定できながら、被覆材を損傷することなく簡易に着脱可能な農園芸用クリップを提供する。【解決手段】円筒状を呈する筒状挾持部１５の対向する両側部分に摘み片２０，２０が突設されており、両摘み片２０，２０を内向きに摘むことにより、挾持筒部１５の先端の開口部１６を拡開できる。又、一方の摘み片の後側部分をなす摘み片部１９の内面に、挾持筒部１５の軸線と略直交する面内で回動可能に突っ張りロック片２６が連結されている。又、他方の挾持片２０の後側部分をなす挾持片部１９の内面に、突っ張りロック片の先端係合部２９と着脱可能に係合し得る係合凹部３１が設けられている。【選択図】図６
2006149331.tif 000002
【特許請求の範囲】
【請求項１】
支柱や横架材等として使用される農園芸用の棒材に被覆材を固定するために用いられる農園芸用クリップであって、該被覆材を介在させて前記棒材を挾持できる筒状挾持部を具え、該筒状挾持部は、前端が軸線方向に開口し且つ開口部が弾性的に拡開し得る筒状を呈し、該筒状挾持部の対向する両側部分に後方に向けて摘み片が突設されており、該両摘み片を内向きに摘むことにより前記開口部を拡開でき、又、一方の摘み片に、前記挾持筒部の軸線と略直交する面内で回動可能に突っ張りロック片が連結されると共に、他方の挾持片の内面には、該突っ張りロック片の先端係合部と着脱可能に係合し得る係合凹部が設けられていることを特徴とする農園芸用クリップ。
【請求項２】
支柱や横架材等として使用される農園芸用の棒材に被覆材を固定するために用いられる農園芸用クリップであって、該被覆材を介在させて前記棒材を挾持できる筒状挾持部を具え、該筒状挾持部は、前端が軸線方向に開口し且つ開口部が弾性的に拡開し得る筒状を呈し、該筒状挾持部の対向する両側部分に後方に向けて摘み片が突設されており、該両摘み片を内向きに摘むことにより前記開口部を拡開でき、又、一方の摘み片の内面に、前記挾持筒部の軸線と略直交する面内で回動可能に突っ張りロック片が連結されると共に、他方の挾持片の内面には、該突っ張りロック片の先端係合部と着脱可能に係合し得る係合凹部が設けられていることを特徴とする農園芸用クリップ。
【請求項３】
前記筒状挾持部は、前端が軸線方向に開口し且つ開口部が弾性的に拡開し得る円筒状を呈することを特徴とする請求項１又は２記載の農園芸用クリップ。
【請求項４】
前記突っ張りロック片の先端部が円弧面に形成されると共に、前記係合凹部は前記先端部と面接触し得る円弧面に形成されていることを特徴とする請求項１、２又は３記載の農園芸用クリップ。
【請求項５】
前記突っ張りロック片の先端部が円弧面に形成されると共に、前記係合凹部は、前記他方の摘み片の内面に、前後方向で複数連設されており、隣り合う係合凹部の接続部分は円弧状突面に形成されていることを特徴とする請求項１、２又は３記載の農園芸用クリップ。
【請求項６】
前記突っ張りロック片の先端部が円弧面に形成されると共に、前記係合凹部は、前記他方の摘み片の内面に、前後方向で複数連設され、隣り合う係合凹部の接続部分は円弧状突面に形成されており、且つ、前記筒状挾持部の中心を通る前後方向の直線に対する各係合凹部の底部の位置が、より後側に存する係合凹部の底部ほど前記直線から離れていることを特徴とする請求項１、２又は３記載の農園芸用クリップ。
【請求項７】
前記突っ張りロック片の両端部分は、前記摘み片の両端縁から外方に突出せしめられて指掛け突出部とされていることを特徴とする請求項１、２又は３記載の農園芸用クリップ。
【発明の詳細な説明】
【技術分野】
【０００１】
本発明は、支柱や横架材等として使用される農園芸用の棒材に、雨除け等を形成するフイルムやシート、或いは、蔓性植物を這わせたり防風、防鳥等のために用いられるネット等としての被覆材を固定するために用いられる農園芸用クリップに関するものである。
【背景技術】
【０００２】
例えば図２３に示すような雨除けａを構成するために、枠体ｂの支柱ｃや横架材ｄにフイルムやシート等の被覆材ｅを取り付ける際、或いは、きゅうり等の蔓性植物を這わせるに際して枠体の支柱や横架材等にネットを固定する際、更には、防風や防鳥等の目的で支柱や横架材にネットを固定する際には、パッカーｆが多用されている。
【０００３】
該パッカーは、特開２００３−１１６３６５号公報や実開昭５５−９１９号公報が開示するように、軸線方向に切欠溝が設けられた断面が略Ｃ字状の筒体として構成され、全体が合成樹脂で一体に形成されており、適宜、弾力性を有するＣ字状金属リングがパッカーの周方向に沿って嵌着されることにより補強されていた。そして前記切欠溝が、樹脂の弾性やＣ字状金属リングの弾性に逆らって拡開し得ると共に、弾性的な縮径作用によって前記被覆材を支柱等に強固に固定するものであった。
【０００４】
かかる構成のパッカーを用いて被覆材を例えば支柱に固定するに際しては、該被覆材を支柱に被せて後、該パッカーの前記切欠溝を前記被覆材を介在させて支柱に当てがい、該パッカーの前記切欠溝との対向側を支柱に向けて強く押圧する。これにより、該切欠溝がパッカーの強い弾性に逆らって無理に拡開せしめられ、該パッカーの内部に前記支柱が嵌入し、該パッカーの弾力性に伴う強力な縮径作用によって被覆材を支柱に強固に固定できた。
【０００５】
しかしながら該パッカーを用いて被覆材を支柱等に固定する際、前記のように、切欠溝を無理に拡開させて支柱等をパッカーの内部に嵌入させるため、前記被覆材が部分的に引き伸ばされて破れる恐れがあった。特に、前記支柱等の外面に、長さ方向に突起が不連続状態に設けられてなる不連続突起列が配置されているときは（図１〜２参照）、シート等の被覆材が前記突起部分で擦れて無理矢理引き伸ばされるために被覆材が破れることが多かった。
【０００６】
又、雨除け等の使用時期が終わった後にパッカーを取り外す際は、前記切欠溝をパッカーの強い弾力性に逆らって拡開させなければならないために、該パッカーを取り外しにくい問題もあった。
【０００７】
このような従来のパッカーの問題点に鑑み、被覆材を支柱等に固定する際、その着脱作業を簡易に且つ、固定する被覆材を損傷しないようにせんとして、特開２００２−１７１７６号公報が開示する農園芸用クリップが提案されている。該農園芸用クリップは、軸方向に開口した筒状の挾持部をバネ性を付与して形成すると共に、該挾持部の各開口端部から後方に、挾持部の一部が支点となるように摘み片を夫々延設した構成を有していた。そして前記摘み片を内向きに摘むことにより、前記挾持部の一部を支点として前記開口を広く開くことができ、該開いた開口から支柱等の対象物を筒状物の内部に嵌め入むことができると共に、前記摘み片を開放して挾持部を復帰させることにより、バネ性を以って対象物を挾持部に挾持できる構成のものであった。
【０００８】
しかしながら、かかる農園芸用クリップは、前記挾持部のバネ性のみによる挾持作用によって被覆材を支柱等に固定せんとするものであったため、被覆材を支柱等に強固に固定できない問題があった。
【特許文献１】特開２００３−１１６３６５号公報（３頁、図２）
【特許文献２】実開昭５５−９１９号公報（１頁、図２）
【特許文献３】特開２００２−１７１７６号公報（第２−３頁、図１）
【発明の開示】
【発明が解決しようとする課題】
【０００９】
本発明は、前記従来の問題点に鑑みて開発されたものであり、支柱や横架材等として使用される農園芸用の棒材に被覆材を強固に固定できながら、該被覆材を損傷することなく簡易に着脱可能な農園芸用クリップの提供を課題とするものである。
【課題を解決するための手段】
【００１０】
前記課題を解決するため本発明は以下の手段を採用する。
即ち本発明に係る農園芸用クリップは、支柱や横架材等として使用される農園芸用の棒材に被覆材を固定するために用いられる農園芸用クリップであって、該被覆材を介在させて前記棒材を挾持できる筒状挾持部を具え、該筒状挾持部は、前端が軸線方向に開口し且つ開口部が弾性的に拡開し得る筒状を呈し、該筒状挾持部の対向する両側部分に後方に向けて摘み片が突設されており、該両摘み片を内向きに摘むことにより前記開口部を拡開でき、又、一方の摘み片に、前記挾持筒部の軸線と略直交する面内で回動可能に突っ張りロック片が連結されると共に、他方の挾持片の内面には、該突っ張りロック片の先端係合部と着脱可能に係合し得る係合凹部が設けられていることを特徴とするものである。
【００１１】
本発明に係る農園芸用クリップのより具体的な態様は、支柱や横架材等として使用される農園芸用の棒材に被覆材を固定するために用いられる農園芸用クリップであって、該被覆材を介在させて前記棒材を挾持できる筒状挾持部を具え、該筒状挾持部は、前端が軸線方向に開口し且つ開口部が弾性的に拡開し得る筒状を呈し、該筒状挾持部の対向する両側部分に後方に向けて摘み片が突設されており、該両摘み片を内向きに摘むことにより前記開口部を拡開でき、又、一方の摘み片の内面に、前記挾持筒部の軸線と略直交する面内で回動可能に突っ張りロック片が連結されると共に、他方の挾持片の内面には、該突っ張りロック片の先端係合部と着脱可能に係合し得る係合凹部が設けられていることを特徴とするものである。
【００１２】
前記各農園芸用クリップにおいて、前記筒状挾持部は、前端が軸線方向に開口し且つ開口部が弾性的に拡開し得る円筒状を呈したものとして構成するのがよい。
【００１３】
又、前記各農園芸用クリップにおいて、前記突っ張りロック片の先端部を円弧面に形成すると共に、前記係合凹部を前記先端部と面接触し得る円弧面に形成するのがよい。より好ましくは、前記突っ張りロック片の先端部を円弧面に形成すると共に、前記係合凹部を、前記他方の摘み片の内面に、前後方向で複数連設されたものとし、隣り合う係合凹部の接続部分を円弧状突面に形成するのがよい。更に好ましくは、前記突っ張りロック片の先端部を円弧面に形成すると共に、前記係合凹部を、前記他方の摘み片の内面に、前後方向で複数連設されたものとし、隣り合う係合凹部の接続部分を円弧状突面に形成し、且つ、前記筒状挾持部の中心を通る前後方向の直線に対する各係合凹部の底部の位置を、より後側に存する係合凹部の底部ほど前記直線から離れている如く構成するのがよい。又、前記各農園芸用クリップにおいて、前記突っ張りロック片の両端部分を、前記摘み片の両端縁から外方に突出せしめられた指掛け突出部とするのがよい。
【発明の効果】
【００１４】
本発明は以下の如き優れた効果を奏する。
(1) 本発明に係る農園芸用クリップは、開口部が弾性的に拡開し得る筒状挾持部の対向する両側部分に後方に向けて摘み片が突設されると共に、一方の摘み片に、前記挾持筒部の軸線と略直交する面内で回動可能に突っ張りロック片が設けられ、且つ他方の挾持片の内面に、該突っ張りロック片の先端係合部と着脱可能に係合し得る係合凹部が設けられた構成を有する。
かかることから本発明によるときは、突っ張りロック片の先端係合部と係合凹部との係合が解除された状態で両摘み片を内向きに摘むことにより、前記筒状挾持部の開口部を容易に拡開させることができ、従って、被覆材を損傷することなく、該筒状挾持部の内部に農園芸用の棒材を被覆材と共に容易に嵌め入れることができる。その後、突っ張りロック片の先端係合部を係合凹部と係合させることによって、両摘み片の後側部分（摘み片部）を強制的に拡開でき、それに伴い前記筒状挾持部を縮径できることから、被覆材を前記棒材に強固に固定することができる。そして、先端係合部と係合凹部との係合状態を解除して前記摘み片を内向きに摘むことにより筒状挾持部を拡開させ得ることから、農園芸用クリップを前記棒材から取り外すのが容易である。
このように本発明によるときは、農園芸用の棒材に対する被覆材の固定を該被覆材を損傷することなく強固に行うことができ、該固定状態を維持できると共に、必要に応じて該固定状態を容易に解除できる。
【００１５】
(2) 前記係合凹部を、挾持片の内面に、前後方向で複数連設する構成を採用したときは、より前側に存する係合凹部に突っ張りロック片の先端係合部を係合させることにより両摘み片部をより大きく拡開させ得ることから、これに伴い、前記筒状挾持部をより縮径させることができる。従って、農園芸用の棒材の径に応じて、被覆材の固定をより適切に行うことができる。
【００１６】
(3) 特に前記係合凹部を、摘み片部の内面に複数連設すると共に、前記突っ張りロック片の先端係合部及び前記係合凹部を円弧面に形成し、且つ、隣り合う係合凹部の接続部分を円弧状突面として形成した場合は、前記突っ張りロック片を前方に向けて押圧することにより、より前側の係合凹部に先端係合部を係合させるのが容易となる。又、突っ張りロック片に後側への押圧力を加えることによって先端係合部と係合凹部との係合状態を容易に解除できる。
特に、前記筒状挾持部の中心を通る前後方向の直線に対する各係合凹部の底部の位置が、より後側に存する係合部の底部ほど前記直線から離れているように構成したときは、前記係合状態の解除をより円滑に行うことができる。
【００１７】
(4) 特に、突っ張りロック片の両端部分を摘み片の両端縁から外方に突出させて指掛け突出部を設けた場合は、該突っ張りロック片に指先を掛けて後方に引っ張ることによって、突っ張りロック片の先端係合部と係合凹部との係合状態を解除し易い利点がある。
【実施例１】
【００１８】
図１〜２において本発明に係る農園芸用クリップ１は、例えば図３に示すような雨除け２を構成するに際し、その枠体３の支柱５ａ又は横架材５ｂとしての棒材５に、例えばビニールシート６ａとしての被覆材６を固定するために用いられるものであって、全体が合成樹脂で一体に形成されている。
【００１９】
前記雨除け２は、図３に示すように、上側部分が逆Ｕ字状に屈曲した円形パイプ状の逆Ｕ字形の前記支柱５ａの複数本、例えば３本を、一方向に所要間隔を置いて並設すると共に、並設された支柱５ａの上端部７及びその両側部９，９を円形パイプ状の前記横架材５ｂで連結することによって形成した前記枠体３の上側部分１０にビニールシート６ａを被せ、該ビニールシート６ａを、前記農園芸用クリップ１を用いて支柱５ａと横架材５ｂに固定して構成される。なお本実施例においては、前記支柱５ａ及び横架材５ｂの外面１１，１１に、図１〜２に示すように、長さ方向に突起１２が不連続状態に設けられてなる不連続突起列１３の４列が、周方向に等間隔で設けられている。
【００２０】
該農園芸用クリップ１の具体的な構成は、図４〜６に示すように、例えばポリエチレン等の合成樹脂を用いて一体に形成されており、前記被覆材６を介在させて前記棒材５を挾持できる筒状挾持部１５を具えている。該筒状挾持部１５は、前端が軸線方向に開口し且つ開口部１６が樹脂の弾力性によって弾性的に拡開し得る筒状（本実施例においては円筒状）を呈しており、該開口部１６の両側縁部１６ａ，１６ａは断面円形に形成され、該開口部１６の開口幅Ｌ１は、前記筒状挾持部１５の内径Ｌ２よりも稍小さく形成されている。例えば、前記筒状挾持部１５の長さは約３７ｍｍに設定されると共に、その内径Ｌ２は約２１ｍｍに設定され、開口幅Ｌ１は約１５ｍｍに設定されている。
【００２１】
又、図５〜６に示すように、前記筒状挾持部１５の対向する両側部分１７，１７の外面に、後方に向けて突設され且つ後側部分２０ａ，２０ａをなす摘み片部１９，１９が外向きに緩く湾曲した摘み片２０，２０が設けられており、該摘み片２０，２０の外面には滑り止め突部１８が並設されている。本実施例においては、該摘み片部１９，１９は摘み片２０，２０の前側部分２０ｂ，２０ｂに比して稍細幅（約２０ｍｍの幅）に形成されており、該両摘み片部１９，１９を内向きに摘むことにより前記開口部１６を、前記筒状挾持部１５の弾性に逆らって拡開でき、この拡開により、例えば図７に示すように、前記棒材５を前記被覆材６と共に前記筒状挾持部１５の内部２１に無理なく嵌入させ得る。
【００２２】
又、一方の摘み片部１９ａの内面１４の後端側には、図５〜６、図８に示すように、薄肉の屈曲部２３を介して、前記筒状挾持部１５の軸線方向に長く且つ、指掛け突出部２２，２２となる両端部分２６ａ，２６ｂが前記摘み片部１９の両端縁（図５、図８においては上下端縁）２４，２５から外方に（上下に）稍突出する矩形板状を呈する突っ張りロック片２６が連結されている。前記指掛け突出部２２，２２の突出長さは、例えば約２．５ｍｍに設定される。
【００２３】
そして、前記突っ張りロック片２６の先端中央部分には、先端面２７が半円弧面を呈する先端係合部２９が突設されている。
【００２４】
又他方の摘み片部１９ｂの内面３０には、図６、図９に示すように、前記先端係合部２９と着脱可能に係合し得る係合凹部３１が前後方向に３列に連なる如く設けられている。該係合凹部３１は、本実施例においては、前記先端係合部２９の半円弧面の先端面２７と嵌まり合う円弧面３３を有し且つ左右端が開放した溝状に形成されており、隣り合う係合凹部３１，３１の接続部分は円弧状突面３５として形成されている。そして、後端に位置する係合凹部３１ａの後縁３６には、後方に向けて外方（他方の摘み片部１９ｂの外面側）に傾斜する傾斜面３７が連設されている。又、前端に位置する係合凹部３１ｂの前側の壁面部３９は内方に稍高く形成されており、該壁面部３９が図１２に示すように前記先端係合部２９の前側の面４０に当接することによって、前記突っ張りロック片２６が前方に外れないようになされている。
【００２５】
そして、前記先端係合部２９が前記後端の係合凹部３１ａと係合した状態（以下第１係合状態という）で、図１０に示すように、前記矩形板状を呈する突っ張りロック片２６が、前記開口部１６の両側の前端４１，４１を結んだ直線Ｌと略平行するようになされている。該第１係合状態においては、図６に示す自由状態にある両摘み片部１９，１９が稍拡開した状態となる。これに伴い、前記筒状挾持部１５の径が、自由状態におけるよりも縮径する。
【００２６】
又、前記先端係合部２９が中間の係合凹部３１ｃと係合した状態（以下第２係合状態という）においては、図１１に示すように、前記突っ張りロック片２６が、その先端４２が基端４３よりも前に位置する傾斜状態を呈し、この状態で、両摘み片部１９，１９が前記第１係合状態におけるよりも更に拡開状態となる。これに伴い、前記筒状挾持部１５の径が、前記第１係合状態におけるよりも縮径する。
【００２７】
又、前記先端係合部２９が前端の係合凹部３１ｂと係合した状態（以下第３係合状態という）においては、図１２に示すように、前記突っ張りロック片２６が、その先端４２が基端４３よりも更に前に位置する傾斜状態を呈し、この状態で、両摘み片部１９，１９が前記第２係合状態におけるよりも更に拡開状態となる。これに伴い、前記筒状挾持部１５の径が、前記第２係合状態におけるよりも縮径する。
【００２８】
前記棒材５の直径や被覆材６の肉厚に応じて所要の係合凹部３１を選択し、前記第１〜３の何れかの係合状態とする。
【００２９】
本実施例においては前記のように、各係合凹部３１ａ，３１ｂ，３１ｃが円弧面として形成されると共に、後端の係合凹部３１ａの後縁３６には外方に傾斜する傾斜面３７が連設され、且つ、隣り合う係合凹部相互が前記円弧状突面３５で接続されていることから、前記先端係合部２９を、前記後端の係合凹部３１ｂに係合した第１係合状態（図１０）から中間の係合凹部３１ｃに係合した第２係合状態（図１１）とし、更に、前端の係合凹部３１ｂと係合した第３係合状態（図１２）とする一連の動作（前記突っ張りロック片２６を前方に傾動させる動作）は、前記突っ張りロック片２６の後面４５を前方に向けて押圧することにより、前記屈曲部２３の屈曲を伴って、両摘み片部１９，１９を弾性的に拡開させながら無理なく容易に行うことができる。
【００３０】
そして前記第１、第２、第３の各係合状態においては、前記筒状挾持部１５が前記棒材５を弾性挾持することに伴う反力によって、前記両摘み片部１９，１９を内側に閉じさせようとする力が作用するため、結果的に、両摘み片部１９，１９間に介在されている前記突っ張りロック片２６が突っ張り状態になる。従って、前記先端係合部２９が前記係合凹部３１から外れる恐れがない。
【００３１】
図１３〜１４，図４は、前記構成の農園芸用クリップ１を用いて、ビニールシートとしての被覆材６を前記支柱５ａや横架材５ｂに固定する工程を、該支柱５ａに固定する場合に代表させて説明するものである。先ず図１３に示すように、支柱５ａの外面を前記被覆材６で覆い、前記突っ張りロック片２６が前記後端の係合凹部３１ａの後方に外れた状態で、前記摘み片部１９，１９を内向きに摘む。これにより、前記筒状挾持部１５の弾性に逆らって該筒状挾持部１５の径が大きくなり、前記開口部１６が前記棒材５の直径よりも大きく拡開される。このようにして後、図１４に示すように、被覆材６で覆われた支柱５ａを該筒状挾持部１５の内部２１に嵌め入れる。その後、両摘み片部１９，１９を開放すれば、前記筒状挾持部１５が、弾性で当初の状態に戻る。本実施例においては、該筒状挾持部１５が前記支柱５ａを一応挾持した状態となる。
【００３２】
その後、前記屈曲部２３を屈曲させながら前記突っ張りロック片２６を前方に傾動させ、図４、図１に示すように、その先端係合部２９を例えば中間の係合凹部３１ｃと係合させる。これにより両摘み片部１９，１９が外方に拡開し、それに伴い前記筒状挾持部１５が縮径し、その結果、該筒状挾持部１５の筒状の内周面（円筒状の内周面）４５に前記支柱５ａと前記被覆材（ビニールシート）６とが同時に強く挾持されることになり被覆材６が支柱５ａに強固に固定される。なお該支柱５ａの径がより大径である場合は、先端係合部２９を後端の係合凹部３１ａに係合させることがある。逆に、該支柱５ａの径がより小径である場合は、先端係合部２９を前端の係合凹部３１ｂに係合させることがある。
【００３３】
前記雨除け等の使用時期が終わった後は、前記被覆材６を前記枠体３から取り外すのであるが、その際は、図１５に示すように、両摘み片部１９，１９間に突っ張り状態で介在されている前記突っ張りロック片２６の前記指掛け突出部２２に指先３８を引っ掛けて該突っ張りロック片２６を後方（図１５に示す矢印方向）に引っ張る。本実施例においては、隣り合う係合凹部の接続部分が円弧状突面３０として形成されており、且つ図１６に示す自由状態において、前記筒状挾持部１５の中心Ｏを通る前後方向の直線Ａに対する各係合凹部３１ｂ，３１ｃ，３１ａの底部４４の位置が、より後側に存する係合凹部の底部４４ほど前記直線からＡから離れている（外側に位置している）ことから、前記のように突っ張りロック片２６を後方に引っ張ることにより、両摘み片部１９，１９の弾性的な拡開を伴いながら、前記先端係合部２９が後端の係合凹部３１ａの後側に無理なく外れる。この状態で両摘み片部１９，１９を内向きに摘むことにより、前記筒状挾持部１５が図１７に示すように開き、その開口部１６を通して前記支柱５ａ及び前記被覆材６を筒状挾持部１５から取り外すことができる。
【実施例２】
【００３４】
本発明は、前記実施例で示したものに限定されるものでは決してなく、「特許請求の範囲」の記載内で種々の設計変更が可能であることはいうまでもない。その一例を挙げれば次のようである。
【００３５】
(1) 図１８〜１９は、本発明に係る農園芸用クリップ１の他の実施例を示すものであり、突っ張りロック片２６が別体に形成され、該突っ張りロック片２６が一方の摘み片部１９ａに装着されることによって所要の農園芸用クリップ１が構成されている。
そのために、前記突っ張りロック片２６の基端縁に該基端縁の長さ方向に延長する如く、薄肉の屈曲部２３を介して柱状（例えば円柱状）連結部４６を設けると共に、一方の摘み片部１９ａの内面側に、図１９に示すように、その両側端（図１９においては上下端）で開口４７，４７する、入口４９が幅狭の連結孔（例えば円形状連結孔）５０を設ける。そして前記柱状連結部４６を前記連結孔５０にその一端側から圧入状態に挿入することにより、前記屈曲部２３で回動可能に突っ張りロック片２６が設けられた農園芸用クリップ１が構成される。なお、前記以外の構成は前記実施例におけると同様であり、同様構成部分には同一の符号が付されている。そして該農園芸用クリップ１は、前記実施例におけると同様の機能を発揮する。図２０は、突っ張りロック片２６の先端係合部２９が後端の係合凹部３１ａと係合した第１係合状態を示し、図２１は、前記先端係合部２９が中間の係合凹部３１ｃに係合した第２係合状態を示し、又図２２は、前記先端係合部２９が前端の係合凹部３１ｂと係合した第３係合状態を示す。なお、前記のように圧入する代わりに、柱状連結部４６を前記連結孔５０に挿入した後、両者を接着してもよい。
【００３６】
(2) 前記突っ張りロック片２６の先端係合部２９と、前記係合凹部３１との係合状態は、前記のように、該先端係合部２９を円弧面に形成すると共に前記係合凹部３１を該先端係合部２９と面接触し得る円弧面に形成することの他、該先端係合部２９と係合凹部３１とを、両摘み片部１９，１９間の間隔を弾性的に拡開させながら該先端係合部２９と該係合凹部３１とを係合させることができ、且つ両者の係合を解除できる限り、先端係合部２９を円弧面に形成し且つ係合凹部３１を円弧面に形成することは必須ではなく、三角形状面等の凹凸係合であってもよい。
【００３７】
(3) 前記筒状挾持部１５は、開口部１６が弾性的に拡開し得る筒状を呈するものであれば、必ずしも円筒状をなすものには特定されない。
【００３８】
(4) 前記係合凹部３１の個数は、前記した３個の他、２個等の複数個に設定されることがあり、又、１個であることもある。
【００３９】
(5) 前記被覆材６には、きゅうり等の蔓性植物を這わせるに際して枠体の支柱や横架材等に被せられるネットや、防風や防鳥等の目的で支柱や横架材取付けられるネットも含まれる。
【図面の簡単な説明】
【００４０】
【図１】本発明に係る農園芸用クリップをその使用状態で示す斜視図である。
【図２】本発明に係る農園芸用クリップをその使用状態で示す斜視図である。
【図３】本発明に係る農園芸用クリップを用いて構成された雨除けを示す斜視図である。
【図４】農園芸用クリップを用いて被覆材を棒材に固定した状態を示す平面図である。
【図５】農園芸用クリップを、突っ張りロック片の係合が解除された状態で示す斜視図である。
【図６】その平面図である。
【図７】両摘み片を内向きに摘まんで開口部を拡開させ、被覆材で覆われた支柱を筒状挾持部の内部に嵌め入れた状態を示す平面図である。
【図８】農園芸用クリップの背面図である。
【図９】他方の摘み片部の内面に設けられた係合凹部を示す斜視図である。
【図１０】突っ張りロック片の先端係合部が後端の係合凹部と係合した第１係合状態を示す平面図である。
【図１１】突っ張りロック片の先端係合部が中間の係合凹部と係合した第２係合状態を示す平面図である。
【図１２】突っ張りロック片の先端係合部が前端の係合凹部と係合した第３係合状態を示す平面図である。
【図１３】摘み片部を内向きに摘まんで開口部を拡開させた状態を示す平面図である。
【図１４】被覆材で覆われた支柱を筒状挾持部の内部に嵌め入れて両摘み片部を開放した状態を示す平面図である。
【図１５】突っ張りロック片の係合を解除する作業行程を示す斜視図である。
【図１６】３つの係合凹部の位置関係を説明する説明図である。
【図１７】支柱及び被覆材を筒状挾持部から取り外すに際して、筒状挾持部を拡開した状態を示す平面図である。
【図１８】農園芸用クリップの他の実施例を示す斜視図である。
【図１９】摘み片部の内面側に設けられた円形状連結孔に突っ張りロック片の円柱状連結部を圧入する行程を説明する斜視図である。
【図２０】その農園芸用クリップにおいて、突っ張りロック片を後端の係合凹部と係合させた第１係合状態を示す平面図である。
【図２１】その農園芸用クリップにおいて、突っ張りロック片を中間の係合凹部と係合させた第２係合状態を示す平面図である。
【図２２】その農園芸用クリップにおいて、突っ張りロック片を前端の係合凹部と係合させた第３係合状態を示す平面図である。
【図２３】パッカーを用いて被覆材を枠体に固定してなる従来の雨除けを示す斜視図である。
【符号の説明】
【００４１】
１  農園芸用クリップ
５  棒材
６  被覆材
１２  突起
１３  不連続突起列
１５  筒状挾持部
１６  開口部
１９  摘み片部
２０  摘み片
２１  筒状挾持部の内部
２２  指掛け突出部
２３  屈曲部
２６  突っ張りロック片
２９  先端係合部
３１  係合凹部
４６  柱状連結部
４７  開口
４９  入口
５０  連結孔
【図１】
2006149331.tif 000003
【図２】
2006149331.tif 000004
【図３】
2006149331.tif 000005
【図４】
2006149331.tif 000006
【図５】
2006149331.tif 000007
【図６】
2006149331.tif 000008
【図７】
2006149331.tif 000009
【図８】
2006149331.tif 000010
【図９】
2006149331.tif 000011
【図１０】
2006149331.tif 000012
【図１１】
2006149331.tif 000013
【図１２】
2006149331.tif 000014
【図１３】
2006149331.tif 000015
【図１４】
2006149331.tif 000016
【図１５】
2006149331.tif 000017
【図１６】
2006149331.tif 000018
【図１７】
2006149331.tif 000019
【図１８】
2006149331.tif 000020
【図１９】
2006149331.tif 000021
【図２０】
2006149331.tif 000022
【図２１】
2006149331.tif 000023
【図２２】
2006149331.tif 000024
【図２３】
2006149331.tif 000025